(57)【特許請求の範囲】
【請求項１】
タイヤ補強材としてのゴムシートの製造方法であって、
複数本の素線又は複数本の素線とストランドコードあるいは複数本のストランドコードを引き出し、
一対のチャックと同一対のチャックのほぼ中央部に配設された第３のチャックとでこれを把持し、
上記第３のチャックを回転することにより上記の複数本の素線又は複数本の素線とストランドコードあるいは複数本のストランドコードにねじり加工を施してスチールコードを形成してからねじりの残留応力を取り去り、
次に上記スチールコードを上記一対のチャック間外に引き出し、これを繰り返すことで撚り方向がＳ方向とＺ方向が交互に存在するスチールコードを作成し、
このようにして作成されたスチールコードのチャックが把持していた箇所（無撚り部）を一平面上で折り曲げて平面状のコード体を形成し、
このコード体を上下からシート状ゴム体で挟み込むゴムシート製造工程を経てタイヤ補強材としてのゴムシートを製造することを特徴とするゴムシートの製造方法。
【請求項２】
上記ねじり加工による長さの減少分が、上記一対のチャックを構成するチャックのいずれか一方のチャック、あるいは両方のチャックが同一対のチャック間の距離が小さくなる方向に移動して、補填されることを特徴とする請求項１記載のゴムシートの製造方法。
【請求項３】
上記ゴムシート製造工程が上記コード体成形工程に連続して行われることを特徴とする請求項１または請求項２のいずれか１項に記載のゴムシートの製造方法。
【請求項４】
請求項１〜請求項３のいずれか１項に記載の製造方法により製造されたゴムシートを用いたタイヤ。
【発明の詳細な説明】
【技術分野】
【０００１】
本発明は、タイヤ補強材として使用するスチールコードを挟み込んだゴムシートの製造方法および同製造方法により製造されたゴムシートを用いたタイヤに関する。
【背景技術】
【０００２】
一般に、ラジアルタイヤは、長尺（数百メートル乃至数万メートル）のスチールコードを平行状に数百本配列し、これを同時に繰り出しながら使用するタイヤの仕様に基づく間隔に並べ、平面に引きそろえた状態で両面より薄いシート状ゴム体をサンドイッチ状に貼り合わせるカレンダー加工により、長尺（数百メートルから数万メートル）のカレンダーシートを構成し、このようにして構成されたカレンダーシートを、タイヤに貼り合わせる幅とバイアス角で裁断して短冊体を形成し、それらを貼り合わせてタイヤ原型をつくり、これを金型に入れて高温、高圧で加硫して製造される。
【０００３】
従来の方式では、使用されるスチールコードの１度の使用量、すなわちスプールの巻量が大きい方がカレンダー加工の稼働時間が長く、効率が良いとされてきた。
また、スチールコードの加工においても、最終の撚り合わせの工程は製品長さが長い方が加工効率が良く、長尺製品が生産できる工夫をしてきた。すなわち、材料のスプール容量を大きくし、製品スプールを大きくする方向で必然的に撚線機の回転部分を大きくしてきた。
【０００４】
撚線機として、現在使用せれているのは、大別して筒型回転で１回転で１度撚りのチューブラタイプのものと、１回転で２度撚りのバンチャタイプのものとがある。
いずれの撚線機も有効エネルギー消費率が１０％以下であり極めて浪費が大きい。これは重量物を高速回転させる為の機械損失と高速回転体の空気抵抗による損失の為であると考えられる。
【０００５】
近年、自動車が成熟するにともなって自動車用タイヤも成熟し、それに伴ってタイヤに対する要求品質も多様化し、機能的に多様化した要求を満たすためタイヤの種類も増加してきている。
従来のような規格大量生産方式でこれらの要求に対応するには、コストなどの面で無理があり、省スペースで一気通貫的に加工できる新生産方式も併用する必要が生じてきた。
【０００６】
タイヤの生産方式では、上記目的に沿い新生産方式が試験的に稼働する段階に来ているが、それに供するスチールコードの生産形態の提供が要望されている。
さらに、今後環境改善時代に先に述べたすこぶるエネルギー効率の悪い方法を継続することなく、資源の最小化、エネルギーの最小化を狙った新しいスチールコードの加工技術の開拓も要望されている。
【０００７】
さらに、従来の製造方法により製造されたカレンダーシートは、メッキを施した素線（鋼線）からなるスチールコードで構成されているが、カレンダーシートを所定の長さに切断すると、その切断端部では素線の鉄地が露出してしまう。この切断端部はメッキがないのでゴムとの接着が成されないという問題が発生する。
【０００８】
タイヤには自動車の走行中、自動車の重量による歪みが負荷され、さらにコーナリング時にはタイヤのショルダー部やプライ層のターンアップエンド部に最大の負荷が作用するが、タイヤはこの部分に上記切断部分が位置する構造になっている。
しかも、近年タイヤの偏平化が進みタイヤ幅が広くなってきているが、タイヤ幅が広くなる程ショルダ部の歪みが大きくなり、上記未接着部分の存在がさらに問題視されるようになってきた。
【０００９】
また、スチールコードは走行時のタイヤの変形を抑える補強材としてタイヤに埋め込まれるものであるが、スチールコードが切断されているため、補強材保有の剛性の効果が充分発揮されず、タイヤのコーナリングフォースを低下させるばかりか、変形によるトレッドの摩耗でタイヤの寿命を低下させる原因にもなっていた。
【発明の開示】
【発明が解決しようとする課題】
【００１０】
本発明は、上述の要望乃至課題に対処したようとするもので、スチールコードの新生産方式の開発により、スチールコードの撚り線加工に無駄なエネルギーを必要とすることがなく、また、スチールコードが切断されることがなく、さらにタイヤの生産方式を少ロット化して無駄なスペース、無駄な輸送を排除することが可能なタイヤ構成用ゴムシートおよびそのゴムシートを用いて製造したタイヤを提供しようとするものである。
【課題を解決するための手段】
【００１１】
本発明は、タイヤ補強材としてのゴムシートの製造方法において、複数本の素線又は複数本の素線とストランドコードあるいは複数本のストランドコードを引き出し、これを一対のチャックと同一対のチャックのほぼ中央部に配設された第３のチャックとで把持し、上記第３のチャックを回転することにより上記複数本の素線又は複数本の素線とストランドあるいは複数本のストランドコードにねじり加工を施してスチールコードを形成してから、ねじりの残留応力を取り去り、次に上記撚り線を上記一対のチャック間外に引き出し、これを繰り返すことで撚り方向がＳ方向とＺ方向が交互に存在するスチールコードを作成し、このようにして作成されたスチールコードのチャックで把持していた箇所（無撚り部）を、一平面上で、たとえばジグザグ状やコ字状に折り曲げて平面状のコード体を形成し、このコード体を上下からシート状ゴム体で挟み込むゴムシート製造工程を経てタイヤ構成用ゴムシートを製造することを特徴とする。
【００１２】
また、上記のスチールコードの製造方法において、上記ねじり加工による長さの減少分が、上記一対のチャックを構成するチャックのいずれか一方のチャック、あるいは両方のチャックが同一対のチャック間の距離が小さくなる方向に移動して、補填することを特徴とする。
【００１３】
さらに、上記のスチールコードの製造方法において、上記ゴムシート製造工程を上記コード体の作成工程に連続して行うことを特徴とする。
【００１４】
さらにまた、上記の製造方法により製造されたゴムシートを用いてタイヤを製造することを特徴とする。
【発明の効果】
【００１５】
本発明のタイヤ構成用ゴムシートは、１本のコード体を一平面上で所定の幅で、たとえばジグザグ状あるいはコ字状に折り曲げて平面状のコード体を形成し、これを上下のシート状ゴム体で挟み込んだ構成であるので、ゴムシート内でスチールコードは連続していて切断されている箇所がない。よって、このゴムシートを貼り合わせてタイヤ原型をつくり、これを金型に入れて高温、高圧で加硫して製造されたタイヤは、ショルダー部やプライのターンアップ部で鉄地が露出することがなく、これらの箇所でのゴム未接着が防止できる。
【００１６】
また、タイヤの内部においてコードは連続しているから補強材保有の剛性の効果を充分発揮することができ、変形に対する耐力が大きくなって、タイヤのコーナリングフォースの低下が防止できるととともに、トレッドの摩耗が防止できてタイヤの寿命を向上させることができる。
【００１７】
本発明の撚り線の製造方法は、従来の大量生産型の場合と異なり、簡単な撚り線加工機による撚り線加工で、無撚り部を境界にしてＳ撚り部とＺ撚り部とが交互に繰り返す形状のスチールコードを製造するものであるから、本発明の製造方法によれば、必要な場所で必要量のスチールコードを製造することが可能となるばかりか、簡単な撚り線加工機による撚り線加工であるので、設備費用の低減と撚り線加工のためのエネルギー消費量を極端に低減することができる。
【００１８】
また、一対のチャックの間隔を調整することにより、さらに第３のチャックの回転方向や回転数を調節することにより、タイヤの仕様に対応したスチールコードの製造に簡単に対処することができるので、多品種、少量生産化、すなわち少ロット生産方式を低コストで対処することが可能となる。
【００１９】
さらに、上記のゴムシート製造工程を上記のコード体の作成工程に連続して行うようにしたので、タイヤ構成材としてのゴムシートの製造装置の少スペース化が可能となる。
【発明を実施するための最良の形態】
【００２０】
以下本発明の製造方法をその実施に適した装置の１例により説明する。
図１は本発明のゴムシートの製造方法を概念的に示す系統図であり、図１において符号１００はねじり加工工程を、符号２００は型付け工程を、符号３００はゴムシート製造工程をそれぞれ示しており、ねじり加工工程１００と型付け工程２００とでコード体成形工程が形成されている。
【００２１】
図２はねじり加工工程１００の１例を示した概略図であり、図２において、符号１は素線を示しており、複数本の素線１が張力を負荷されながらリール８から引き出され、分離板２で各々の素線１は並びを決められ相互の素線の並びが入れ代わらないようにして、送り出しを兼ねた引き出しローラ４によって、一定長さ引き出されて停止する。ここで、一定長さとは、後述のチャック３ａとチャック３ｂとの間隔に相当する長さのことである。
上記複数の素線１は、複数本の素線とストランドコードの組み合わせでもよいし、複数本のストランドコードでもよい。
【００２２】
一定長さ引き出されて停止した複数本の素線１（素線束１ａ）は、一対のチャック３ａ、３ｂと、同一対のチャック３ａ、３ｂのほぼ中央部に配設された第３のチャック３ｃとで複数本の素線１が自由に回転できない強さで把持される。
チャック３ａとチャック３ｃとの間隔（および、チャック３ｂとチャック３ｃとの間隔）は、ねじり加工終了後におけるスチールコードの長さの減り（撚り減り）を考慮した長さで当該スチールコードが使用されるタイヤに埋設された補強層のバイアス角を考慮した一端部から他端部までのスチールコードの長さと同じ長さである。
【００２３】
図２の例では、下流側のチャック３ｂはねじり加工工程における撚り減りを補填するために、図２中左右方向に移動可能に基台７に取り付けられている。符号６は把持解除時の復帰用バネを示す。なお、上流側のチャック３ａを移動可能としてもよく、さらに両チャック３ａ、３ｂを移動可能としてもよいが、いずれの場合でも移動可能なチャックには把持解除時の復帰用バネ６が設けられている。
【００２４】
一対のチャック３ａ、３ｂと第３のチャック３ｃとで素線束１ａを３ヵ所で自由に回転できない強さで把持した後、チャック３ｃを回転させる。チャック３ｃを回転させることにより素線束１ａはねじられ、３ヵ所のチャック間の素線束１ａはＳ方向とＺ方向とにねじられたスチールコードとなる。つまり第３のチャック３ｃを挟んで左側は「Ｓ撚り」に、右側は「Ｚ撚り」にねじられたスチールコードが得られる。第３のチャック３ｃの回転方向を反対に設定するとき、左右のねじりをこれと反対にすることが可能なことはいうまでもない。
【００２５】
スチールコードに必要な仕様に基づいた回転をした後、一旦第３のチャック３ｃの回転を停止し、次いでねじりの残留応力を取り去るために第３のチャック３ｃを逆回転する。
次にチャック３ａ、３ｃと第３のチャック３ｃの把持を解除し、引き出しローラ４の駆動でスチールコード５を上記一対のチャック３ａ、３ｂ間外に引き出す。これによってチャック３ａ、３ｂ間には連続して次の素線束１ａが送り込まれる。チャック３ａ、３ｂと第３のチャック３ｃの把持を解除すると、移動していたチャック３ｂは復帰用バネ６の復元力により元の位置にもどる。
【００２６】
上記スチールコードの製造方法において、ねじりの残留応力を取り去る手段は、上記第３のチャック３ｃをねじり加工後に開放できる機構にして、スチールコードの戻り力を利用して残留ねじれを取り去るようにしてもよい。
【００２７】
引き出されたスチールコード５は第３のチャック３ｃで把持されていた箇所を境界にしてＳ撚り部とＺ撚り部とが交互に存在する形状となっている。
この工程を繰り返すことにより、所定長さのＳ撚りスチールコードとＺ撚りスチールコードとが交互に形成されたスチールコードを製造することができる。
このようにして製造されたスチールコード５は、このねじり加工工程１００に連続する型付け工程２００に順次送られる。
【００２８】
図３は型付け工程２００に好適な折り曲げ装置Ａの１例を示す平面図、図４は図３のＺ部の側面図である。
【００２９】
次に型付け工程２００について図３、図４にて説明する。
ねじり加工工程１００で撚られたスチールコード５は、一対の送り出しローラ４（図２のものと同じ）で引き出され（図３参照）、ダンサーローラ１１で張力を一定に保ちながら折り曲げ装置１２、１３に送り込まれ、折り曲げ装置１２、１３に設けた、図５に詳細構造を示す型付けローラ２０に設けた凹部と型付けローラ３０に設けた凸部とで挟み込まれて折り曲げ加工される。折り曲げる箇所は、上記ねじり加工工程においてチャックで把持されていた無撚り箇所である。無撚り部で折り曲げられるように折り曲げ装置１２、１３の間隔や送り速度を調整する。
図３、図４中の符号１５は、グリップ部で折り曲げ加工を行う際コードにねじれが入るのを防止するためのものである。符号１４は送り出しローラを示す。
【００３０】
折り曲げ装置１２と折り曲げ装置１３の型付けローラ２０と型付けローラ３０は、凹部２４と凸部３４とが互いに対向する側に設けられているので、スチールコード５の折り曲げられる方向は逆になり、全体として一平面上で山・谷の連続した、いわゆるジグザグ形状に形成された平面状のコード体１６（図４参照）に形成される。
【００３１】
型付けローラ２０は、図５（ａ）に平面断面図、（ｂ）に側面断面図を示すように、ローラ軸２１の表面上に溝２２が形成され、この溝２２に図６（ａ）に示すような凹部２４を圧入した凹部型付け用金具２３がはめ込まれ、ネジ２５で固定された構造である。
型付けローラ３０は、図５（ｃ）に平面断面図、（ｄ）に側面断面図を示すように、ローラ軸３１の表面上に溝３２が形成され、この溝３２に図６（ｂ）に示すような凸部３４を圧入した凸部型付け用金具３３が装着された構造である。
【００３２】
凸部型付け用金具３３の凸部３４は上記凹部型付け金具２３の凹部２４に、ロール２０、３０の回転によって嵌まり込んでコードに型付けを行うので、回転に沿って凸部がスムーズに嵌まり込むように凸部型付け用金具３３はローラ軸３１にぶらぶら状態になるようにネジ３５で取り付けられている。
【００３３】
折り曲げ装置１３もこれと同じ構成であるが、図４に示すように型付けローラ２０とローラ３０とが互いに対向する側に設けられている。
【００３４】
なお、上記説明では型付けローラ２０が凹部側で、型付けローラ３０が凸部側であるが、逆であっても同じ効果が得られるのはいうまでもない。
そして、一対の型付けローラ２０、３０は連動して同速度で回転するように歯車２６、３６で連結されている。
【００３５】
型付けローラ２０に装着する凹部型付け用金具２３に設けた凹部２４は、図６（ａ）に示すように、型付け部２３ａと案内部２３ｂとからなる。型付け部２３ａの幅ｘは、凸部型付け用金具３３の凸部３４の幅をｙとしコードの径をφとしたとき、ｘ＝ｙ＋２φに設定され、案内部２３ｂの幅は型付け部２３ａの幅ｘよりも広く、かつテーパ状に広がり開口部（図６（ａ）における底面）で最大となるような形状に形成されている。
【００３６】
凹部型付け用金具２３の凹部２４の深さは、凸部型付け用金具３３の凸部３４の高さとほぼ同じ程度であり、また型付け部２３ａと案内部２３ｂの深さも同程度である。凹部２４の底の形状は滑らかなＲ型が望ましい。
【００３７】
図３および図４に示すように、送り出しローラ４（図３参照）で引き出されダンサーローラ１１で張力を一定に保ちながら折り曲げ装置１２、１３に送り込まれ、折り曲げ装置１２と折り曲げ装置１３の型付けローラ２０の凹部と型付けローラ３０の凸部とに挟み込まれることによりスチールコード５は型付けされる。
折り曲げ装置１２と折り曲げ装置１３の型付けローラ２０と型付けローラ３０は、凹部２４と凸部３４（図５参照）とが互いに対向する側に設けられているので、折り曲げられる方向は逆になり、全体として一平面上で山・谷の連続した、いわゆるジグザグ形状に形成された平面状のコード体１６（図４参照）に形成される。
【００３８】
型付けローラで折り曲げ加工を行う周期は、当該ゴムシートが使用されるタイヤの仕様による。タイヤ仕様の変更に伴うコードの一端部から他端部までの長さの変更は、折り曲げ装置１２と折り曲げ装置１３の距離が変えられる構造にしたり、コードの送りスピードを変えることで変更することができる。
【００３９】
図７は、型付けローラ３０の凸部３４の断面形状例を示しており、（ａ）に示す凸部３４により折り曲げ加工を施すと、コード１６は図８（ａ）に示す鋭角形状に、（ｂ）に示す凸部３４により折り曲げ加工を施すとコード１６は図８（ｂ）に示す段付き折り曲げ形状に折り曲げられる。図７（ｃ）に示すのような対称形状突起の場合には、コードの折り曲がり部はゆるやかな形状となる。
【００４０】
図１１は、上記の折り曲げ装置Ａにより折り曲げ加工されたコード体からなるゴムシートの１例を示すもので、図１１においてコード体は点線で示してある。（ａ）に示すゴムシートＣ１は折り曲げ部が鋭角なジグザグ状のコード体ａ１を一対のゴム状シートＣ０で挟み込んだ構成であり、（ｂ）に示すゴムシートＣ２は折り曲げ部がコ字状のコード体ａ２を一対のゴム状シートＣ０で挟み込んだ構成である。
図１１に示すゴムシートＣ１、Ｃ２は、挟み込まれるコードの間隔やコードのバイアス角度、あるいはコード体の幅はタイヤの仕様にあわせて製作され、これらを貼り合わせてタイヤ原型をつくり、これを金型に入れて高温、高圧で加硫してタイヤが製造される。
【００４１】
上記の折り曲げ装置Ａで型付け加工された（たとえばジグザグ状に折り曲げられた）コード体１６は、次の工程のゴムシート製造工程におくられる。
図９および図１０はゴムシート製造工程に好適な装置を示している。この装置（図９および図１０に示す装置）によりコード体１６を一対のシート状ゴム体７２ａ、７２ｂで挟んでゴムシートＣが形成される。
【００４２】
図３、図４に示すコード折り曲げ装置Ａでジグザグ状に折り曲げられたコード体１６が、図９、図１０に示すゴムシート製造装置の上流側部分Ｂ（図９、図１０における左側）に設けた固定水平盤５１上に送り出し装置５４（コード折り曲げ装置Ａと連結した場合、図３、４における送り出しローラ１４と同じ）により送られてくる。
【００４３】
固定水平盤５１の両側に近設して一組みのコンベアベルト５２、５２が設けられており、このコンベアベルト５２、５２には、送り出し装置５４によって固定水平盤５１上に送り出されてきたコード体ａが重なってしまうのを防止するため、ピン５３が立設されている。そして、このピン５３がコード体１６の折り曲げ部Ｐを引っ掛け、コード体ａが重なってしまうのを防止しながら順次下流側（図矢印Ｙ方向）にコード体１６を移送する。
【００４４】
下流よりのところに、コード引き揃え部６０が設けられていて、このコード引き揃え部６０に送られてきたコード体１６は、コード引き揃え部６０に設けられた一組のコンベアベルト６２ａ、６２ｂ上に立設されたコマ６３にコード体１６の折り曲げり部Ｐが引っ掛けられ下流側に移動される。
【００４５】
左右のコンベアベルト６２ａ、６２ｂは速度差を有する構成となっているので、コード体の移動方向に対してコードの角度が徐々に変化し、コードの埋め込み用の角度が形成される。このようにして、埋め込み角を得た状態でコードに張力を負荷することで、ゴム埋め込み前のコードの引き揃えが行われる。
【００４６】
所望の埋め込み角度をもって引き揃えられたコード体１６はゴミシート製造装置７０に移動する。ゴムシート製造装置７０において、コード体１６に圧延ローラ７１ａ、７１ｂで上下方向から１対のシート状ゴム体７２ａ、７２ｂによるシーチングが施され、さらにコードの並びの乱れを防止するため圧延ローラ７１ａ、７１ｂの下流側に設けたコード固定ローラ７３ａ、７３ｂでゴムシートＣ０を再度押さえつけることによって、さらに安定したゴムシートＣが得られる。
【００４７】
上記ゴムシートＣは両側にコード体１６の折り返し部Ｐが露出しているが、シート状ゴム体７２ａ、７２ｂのうち片方の幅をコード体１６の幅よりも広くしておくと、余剰分がゴムシートＣ０の両端を巻き込むこととなり、ゴムシートＣ全体をシート状ゴム体で被覆された構造のゴムシートを得ることができる。
【００４８】
本発明のゴムシートはタイヤの仕様によって決められるもので、所望のコード体幅はコード折り曲げ装置Ａにおける折り曲げ装置１２、１３の距離を変えるか、コードの送りスピードを変えることで得ることができる。また、所望のコード体間隔は装置Ｂにおけるコンベアベルト６２ａ、６２ｂのスピードを調整することで得ることができ、また所望のコードバイアス角はコンベアベルト６２ａ、６２ｂの速度差を調整することで得られる。
【００４９】
上述の通り、本発明によれば、スチールコードの撚り線加工は、エネルギーのロスを極少化することができる。
また、撚り線加工およびカレンダー加工のための初期設備費用を極少化でき、必要な場所で必要量製造できるので、従来の方法に較べて全てのロスを極少化できる。
さらに、この製造方法で製造されたカレンダーシートは、カレンダーシート内のスチールコードには切断部がなく、したがって接着しない部分がなく、また連続体であることから、耐変形性に優れており、これを使用したタイヤ長寿命でさらに安全なタイヤへの期待ができる。
【図面の簡単な説明】
【００５０】
【図１】本発明のゴムシートの製造方法を概念的に示す系統図である。
【図２】ねじり加工工程概念的に示す系統図である。
【図３】コード折り曲げ装置の概略平面図である。
【図４】図３のＺ部の概略側面図である。
【図５】（ａ）、（ｃ）はコード折り曲げ装置に取り付けるローラの平面断面図、（ｂ）、（ｄ）はその側面断面図である。
【図６】（ａ）は凹部２４に圧入した凹部型付け用金具の斜視図、（ｂ）は凸部３４を圧入した凸部型付け用金具の斜視図である。
【図７】（ａ）、（ｂ）、（ｃ）は折り曲げ装置の突起を拡大した側面図である。
【図８】（ａ）、（ｂ）は折り曲げ装置により折り曲げられたコードの折り曲げ部の平面図である。
【図９】ゴムシート製造装置の概略平面図である。
【図１０】同側面図である。
【図１１】（ａ）、（ｂ）は本発明の製造方法により製造されたゴムシートの１例を示す平面図である。
【符号の説明】
【００５１】
１：素線
１ａ：素線束
２：分離板
３ａ、３ｂ：一対のチャック
３ｃ：第３のチャック
４：送り出しローラ
５：スチールコード
６：復帰用バネ
７：基台
８：繰り出しリール
１２、１３：折り曲げ装置
１６：コード体
２０、３０：型付けローラ
５１：固定水平盤
５２：コンベアベルト
５３：ピン
５４：送り出し装置
６０：コード引き揃え部
６２ａ、６２ｂ：コンベアベルト
６３：コマ
７０：ゴムシート製造装置
７１ａ、７１ｂ：圧延ローラ
７２ａ：シート状ゴム体
７３ａ、７３ｂ：コード固定ローラ
１００：ねじり加工工程
２００：型付け工程
３００：ゴムシート製造工程
Ｃ、Ｃ１、Ｃ２：ゴムシート
Ｃｏ  シート状ゴム体
Ｐ：コード体の折り曲げ部
【図１】
0004669405.tif 000002
【図２】
0004669405.tif 000003
【図３】
0004669405.tif 000004
【図４】
0004669405.tif 000005
【図５】
0004669405.tif 000006
【図６】
0004669405.tif 000007
【図７】
0004669405.tif 000008
【図８】
0004669405.tif 000009
【図９】
0004669405.tif 000010
【図１０】
0004669405.tif 000011
【図１１】
0004669405.tif 000012